(57)【要約】【課題】  表示パネルのパネル電極端子と外部部品の外部電極端子との間に十分な数量の導電粒子を介在させることにより、パネル電極端子と外部電極端子とを確実に導通させる。【解決手段】  パネル電極端子６と出力端子１２ａおよび入力端子１２ｂとの接続時において流動する導電粒子１４を堰き止めるための導電粒子用堰１７を、パネル電極端子６のうちパネル電極端子６の長手方向に直交し、かつ出力端子１２ａおよび入力端子１２ｂ側の近傍に形成し、導電粒子用堰１７における内側端縁１７ａを、出力端子１２ａおよび入力端子１２ｂに対向する位置に配置する。【選択図】    図２
2006154253.tif 000002
【特許請求の範囲】
【請求項１】
外部部品の外部電極端子に対応して形成されたパネル電極端子を備え、前記パネル電極端子と前記外部電極端子とが、導電粒子が含有された接着材を介して接続される表示パネルにおいて、
前記パネル電極端子と前記外部電極端子とを接続する際に、流動する前記導電粒子を堰き止めるための導電粒子用堰が、前記パネル電極端子のうち前記導電粒子の流動方向における下流側であって前記外部電極端子に対向する位置またはその近傍に、前記パネル電極端子の長手方向に直交するように形成されていることを特徴とする表示パネル。
【請求項２】
前記導電粒子用堰の突出高さ寸法が、前記導電粒子の直径寸法の１／４〜１／２の寸法によって形成されている請求項１に記載の表示パネル。
【請求項３】
前記導電粒子用堰の前記導電粒子を堰き止める内側端縁が、前記導電粒子の流動方向における下流側に湾曲して形成されている請求項１または２に記載の表示パネル。
【請求項４】
前記導電粒子用堰は、前記内側端縁が、前記外部電極端子に対向するように設けられている請求項１から３のいずれか１項に記載の表示パネル。
【発明の詳細な説明】
【技術分野】
【０００１】
本発明は表示パネルに係り、特に、表示パネルのパネル電極端子と、ＩＣチップやフレキシブル配線基板等の外部部品の外部電極端子とを、複数の導電粒子が含有された接着材を介して接続するのに好適な表示パネルに関する。
【背景技術】
【０００２】
従来より、一対の基板の所定の部分に選択的に電解を与えることにより、両基板の間隙に封入された液晶を駆動させて特定の図形や文字等の情報を表示する表示パネルが、携帯電話やコンピュータ等の種々の電気機器の表示パネルとして多用されている。
【０００３】
この表示パネルのパネル電極端子は、液晶駆動用ＩＣチップ等のチップ部品やフレキシブル配線基板等と基板上において電気的に接続されている。
【０００４】
図６は、従来の液晶表示パネルと液晶駆動ＩＣチップとの接続構造の一例を示す模式的断面図である。
【０００５】
図６に示すように、液晶表示パネル２１には、一対の基板２２の相互に対向する内面にパネル電極２３が設けられ、一方の基板２２は、他方の基板２２と比較して平面形状において大きく形成された端子部２４を有している。端子部２４には、パネル電極２３が延設されて第１パネル電極端子２５ａとされており、また、前記端子部２４の一端部には、パネル電極２３および第１パネル電極端子２５ａと独立して形成された第２パネル電極端子２５ｂが設けられている。
【０００６】
この液晶表示パネル２１に液晶駆動用ＩＣチップ２６を実装するには、まず、端子部２４におけるパネル電極端子２５が形成されている部分に、複数の導電粒子２８が含有された接着材２９を塗布する。続いて、接着材２９を介して液晶駆動用ＩＣチップ２６の出力端子３２ａを第１パネル電極端子２５ａに対向させるとともに、液晶駆動用ＩＣチップ２６の入力端子３２ｂを第２パネル電極端子２５ｂに対向させて、端子部２４上に液晶駆動用ＩＣチップ２６を載置した後、液晶駆動用ＩＣチップ２６に圧力を加える。そして、液晶表示パネル２１の各パネル電極端子２５ａ、２５ｂと液晶駆動用ＩＣチップ２６の出力端子３２ａおよび入力端子３２ｂとを、接着材２９の導電粒子２８を介して電気的に接続することにより、液晶駆動用ＩＣチップ２６を液晶表示パネル２１に実装するようになっている。
【０００７】
しかし、前述のように液晶表示パネル２１に液晶駆動用ＩＣチップ２６を実装するにあたり、接着材２９を介して液晶駆動用ＩＣチップ２６を加圧する際、図７に示すように、接着材２９に含有された導電粒子２８が液晶駆動用ＩＣチップ２６の外縁側に流動してしまうことになる。この結果、各パネル電極端子２５ａ、２５ｂと入力端子３２ｂおよび出力端子３２ａとの間に十分な数量の導電粒子２８が残留せずに、導通を図ることができないおそれがあるという問題を有していた。
【０００８】
さらに、近年の液晶表示パネル２１の狭額縁化や各パネル電極端子２５ａ、２５ｂのファインピッチ化にともない、各パネル電極端子２５ａ、２５ｂと出力端子３２ａおよび入力端子３２ｂとの接続面積も狭くなってしまい、各パネル電極端子２５ａ、２５ｂと出力端子３２ａおよび入力端子３２ｂとの間に十分な数量の導電粒子２８を残留させることができず。導通を図ることが一層困難になっていた。
【０００９】
一方、接着材２９における導電粒子２８の密度を上昇させることにより、各パネル電極端子２５ａ、２５ｂと出力端子３２ａおよび入力端子３２ｂとの間に介在する導電粒子２８の数量を増加させることも考えられる。しかし、このような場合には、各パネル電極端子２５ａ、２５ｂ間に多数の導電粒子２８が位置してしまう結果、各パネル電極端子２５ａ、２５ｂ間においてショートしてしまうおそれがあるという問題を有していた。
【発明の開示】
【発明が解決しようとする課題】
【００１０】
本発明はこれらの点に鑑みてなされたものであり、表示パネルのパネル電極端子と外部部品の外部電極端子との間に十分な数量の導電粒子を介在させることにより、パネル電極端子と外部電極端子とを確実に導通させることができる表示パネルを提供することを目的とする。
【課題を解決するための手段】
【００１１】
前記目的を達成するため、請求項１に記載の発明に係る表示パネルの特徴は、外部部品の外部電極端子に対応して形成されたパネル電極端子を備え、前記パネル電極端子と前記外部部品の外部電極端子とが、導電粒子が含有された接着材を介して接続されている表示パネルにおいて、前記パネル電極端子と前記外部電極端子とを接続する際に、流動する前記導電粒子を堰き止めるための導電粒子用堰が、前記パネル電極端子のうち前記導電粒子の流動方向における下流側であって前記外部電極端子に対向する位置またはその近傍に、前記パネル電極端子の長手方向に直交するように形成されている点にある。
【００１２】
ここで、外部部品には、表示パネルを駆動するための駆動用ＩＣチップ等のチップ部品の他、フレキシブル配線基板等、表示パネルに電気的に接続される種々の部品を含むものとする。
【００１３】
この請求項１に記載の発明によれば、外部部品を表示パネルに実装する際に、導電粒子用堰により導電粒子の流動を堰き止めることができ、これにより、導電粒子用堰の導電粒子を堰き止める内側端縁、すなわちパネル電極端子上に複数の導電粒子を滞留させることができる。
【００１４】
また、請求項２に記載の発明に係る表示パネルの特徴は、前記導電粒子用堰の突出高さ寸法は、前記導電粒子の直径寸法の１／４〜１／２の寸法によって形成されている点にある。
【００１５】
この請求項２に記載の発明によれば、導電粒子用堰の突出高さ寸法は、導電粒子の直径寸法の１／２〜１／４の寸法に形成されているので、導電粒子用堰が外部電極端子に対向する位置に設けられた場合、または、外部電極端子が導電粒子用堰に乗り上げて実装された場合であっても、パネル電極端子との導通を確実に確保することができる。
【００１６】
さらに、請求項３に記載の発明に係る表示パネルの特徴は、前記導電粒子用堰の前記導電粒子を堰き止める内側端縁は、前記導電粒子の流動方向における下流側に湾曲して形成されている点にある。
【００１７】
この請求項３に記載の発明によれば、各導電粒子用堰の内側端縁は、導電粒子の流動方向における下流側に湾曲して形成されているので、各導電粒子用堰に堰き止められた導電粒子を確実に各導電粒子用堰の内側端縁に滞留させることができ、より多くの導電粒子をパネル電極端子と外部電極端子との間に介在させることができる。
【００１８】
さらにまた、請求項４に記載の発明に係る表示パネルの特徴は、前記導電粒子用堰は、前記内側端縁が、前記外部電極端子に対向するように設けられている点にある。
【００１９】
この請求項４に記載の発明によれば、導電粒子用堰の内側端縁が、外部電極端子のうち導電粒子の流動方向における下流側の一端縁に対向する位置に設けられているので、導電粒子用堰の内側端縁に滞留した各導電粒子を、パネル電極端子と外部電極端子との導電接続に効率的に利用することができる。
【発明の効果】
【００２０】
以上述べたように、本発明に係る表示パネルによれば、パネル電極端子と外部電極端子との間に複数の導電粒子を介在させた状態でパネル電極端子と外部電極端子を接続させることができ、これにより、パネル電極端子と外部電極端子とを確実に導通させることができる。
【発明を実施するための最良の形態】
【００２１】
以下、本発明に係る表示パネルの一実施形態を図１から図５を参照して説明する。本実施形態においては、表示パネルとしての液晶表示パネルと、外部部品としての液晶駆動用ＩＣチップとの接続を用いて説明する。
【００２２】
図１は、本実施形態にかかる液晶表示パネルと液晶駆動用ＩＣチップとの接続構造を示す模式的平面図であり、図２は、図１の接続構造のＡ−Ａにおける模式的断面図である。
【００２３】
図１および図２に示すように、液晶表示パネル１は、一対の透明基板２を有し、両透明基板２のうち第１透明基板２ａは、第２透明基板２ｂと比較して平面形状において大きく形成された端子部３を有している。
【００２４】
両透明基板２の相互に対向する内面には、ＩＴＯ（Indium Tin Oxide：インジウムスズ酸化物）等からなる複数のパネル電極５が設けられており、各パネル電極５は、端子部３に延設されて第１パネル電極端子６ａとされている。
【００２５】
また、端子部３の一端部には、各パネル電極５および各第１パネル電極端子６ａと独立した複数の第２パネル電極端子６ｂが設けられている。
【００２６】
両透明基板２は、内面の外周縁に塗布されたシール材８によって一体に接合されており、両透明基板２およびシール材８に囲まれた内部には、液晶９およびスペーサ（図示せず）が封入されている。
【００２７】
そして、液晶表示パネル１の端子部３上には、液晶駆動用ＩＣチップ１１の出力端子１２ａが第１パネル電極端子６ａに対向し、入力端子１２ｂが第２パネル電極端子６ｂに対向するように載置されて、複数の導電粒子１４を含有した接着材１５を介して実装されている。
【００２８】
液晶表示パネル１の各第１パネル電極端子６ａおよび各第２パネル電極端子６ｂには、各パネル電極端子６と液晶駆動用ＩＣチップ１１の出力端子１２ａおよび入力端子１２ｂとの接続時において液晶駆動用ＩＣチップ１１の外縁方向に流動する各導電粒子１４を堰き止めるための導電粒子用堰１７が設けられている。
【００２９】
各導電粒子用堰１７は、図３に示すように、導電粒子１４の流動方向における下流側に、各パネル電極端子６の長手方向に直交し、全幅にわたって形成されている。
【００３０】
また、各導電粒子用堰１７は、出力端子１２ａおよび入力端子１２ｂに対向するように形成されており、各導電粒子用堰１７の突出高さ寸法は、導電粒子１４の直径寸法よりも短く、好ましくは、導電粒子１４の直径寸法の１／４〜１／２とされ、直径４μｍの導電粒子１４が含有された接着材１５を用いる場合には、導電粒子用堰１７を１〜２μｍの突出高さ寸法に形成するとよい。
【００３１】
さらに、各導電粒子用堰１７は、導電粒子用堰１７の内側端縁１７ａが、入力端子１２ｂおよび出力端子１２ａのうち導電粒子１４の流動方向における下流側の一端縁に対向する位置に配置されるように設けられており、各導電粒子用堰１７の内側端縁１７ａは、導電粒子１４の流動方向における下流側に湾曲して形成されている。
【００３２】
各導電粒子用堰１７は、樹脂系材料を塗布し、所定パターンのマスクを用いて露光した後、エッチングすることにより形成される。導電粒子用堰１７を形成するに際し、無機系材料を用いることも可能であるが、無機系材料を用いて１μｍ以上の突出高さ寸法の導電粒子用堰１７を形成することは困難であり、樹脂系材料を用いて形成するとよい。
【００３３】
なお、各導電粒子用堰１７の配置位置および形状は、本実施形態のものに限定されるものではない。
【００３４】
例えば、図４に示すように、導電粒子用堰１７の内側端縁１７ａは直線状であってもよく、また、配置位置は、入力端子１２ｂおよび出力端子１２ａのうち導電粒子１４の流動方向における下流側の一端縁の近傍に対向する位置であればよく、さらには、導電粒子用堰１７の全体が入力端子１２ｂ等に対向する位置に設けられてもよい。
【００３５】
次に、本実施形態の作用について説明する。
【００３６】
まず、端子部３の各パネル電極端子６における液晶駆動用ＩＣチップ１１の配置位置に、導電粒子１４が含有された接着材１５を塗布する。
【００３７】
続いて、接着材１５を介して出力端子１２ａと第１パネル電極端子６ａとの位置あわせ、および入力端子１２ｂと第２パネル電極端子６ｂとの位置あわせを行いながら、端子部３上に液晶駆動用ＩＣチップ１１を載置した状態で、液晶駆動用ＩＣチップ１１上に圧力を加える。
【００３８】
すると、液晶駆動用ＩＣチップ１１への加圧により、各導電粒子１４が液晶駆動用ＩＣチップ１１の外縁側に流動する。このとき、パネル電極端子６上に位置する導電粒子１４は、導電粒子用堰１７によって堰き止められ、導電粒子用堰１７の内側端縁１７ａにおいて滞留することとなる。
【００３９】
そして、出力端子１２ａおよび入力端子１２ｂによって導電粒子１４を潰しながら、導電粒子用堰１７の内側端縁１７ａに介在させた状態において、接着材１５を固化させて、液晶表示パネル１の各パネル電極端子６と液晶駆動用ＩＣチップ１１の出力端子１２ａおよび入力端子１２ｂとを、各導電粒子１４を介して電気的に接続する。これにより、液晶駆動用ＩＣチップ１１を液晶表示パネル１に実装する。
【００４０】
本実施形態によれば、液晶駆動用ＩＣチップ１１を液晶表示パネル１に実装する際に、導電粒子用堰１７により導電粒子１４の流動を堰き止めて、導電粒子用堰１７の内側端縁１７ａ、すなわちパネル電極端子６上に複数の導電粒子１４を滞留させることができる。
【００４１】
したがって、パネル電極端子６と出力端子１２ａおよび入力端子１２ｂとの間に複数の導電粒子１４を介在させた状態でパネル電極端子６と出力端子１２ａ等を接続させることができ、これにより、パネル電極端子６と出力端子１２ａ等とを確実に導通させることができる。
【００４２】
この結果、従来は、パネル電極端子６と出力端子１２ａ等との接続面積に対して５０％の面積分の数量の導電粒子を介在させることができたが、本実施形態によれば、６０〜７０％の面積分の数量の導電粒子を介在させることができた。
【００４３】
また、導電粒子用堰１７の突出高さ寸法は、導電粒子１４の直径寸法の１／２〜１／４の寸法に形成されているので、導電粒子用堰１７が出力端子１２ａまたは入力端子１２ｂに対向する位置に設けられ、または、出力端子１２ａおよび入力端子１２ｂが導電粒子用堰１７に乗り上げて実装された場合にも、パネル電極端子６との導通を確実に確保することができる。
【００４４】
さらに、各導電粒子用堰１７の内側端縁１７ａは、液晶駆動用ＩＣチップ１１の外縁側に湾曲して形成されているので、各導電粒子用堰１７に堰き止められた導電粒子１４を確実に各導電粒子用堰１７の内側端縁１７ａに滞留させることができ、より多くの導電粒子１４をパネル電極端子６と出力端子１２ａ等との間に介在させることができる。
【００４５】
さらにまた、導電粒子用堰１７の内側端縁１７ａが、出力端子１２ａおよび入力端子１２ｂのうち導電粒子１４の流動方向における下流側の一端縁に対向する位置に設けられているので、導電粒子用堰１７の内側端縁１７ａに滞留した各導電粒子１４を、パネル電極端子６と出力端子１２ａ等との導電接続に効率的に利用することができる。
【００４６】
なお、本発明は前記実施形態に限定されるものではなく、必要に応じて種々変更することが可能である。
【００４７】
例えば、本実施形態においては表示パネルとして液晶表示パネル１を用いて説明しているが、これに限定されるものではなく、有機ＥＬ表示パネル等の他の表示パネルにも用いることができる。
【００４８】
また、外部部品としては本実施形態の説明に用いた液晶駆動用ＩＣチップ１１に限定されるものではなく、表示パネルにフレキシブル配線基板を接続する場合に用いてもよい。
【００４９】
図５は、本発明に係る他の実施形態である液晶表示パネル１とフレキシブル配線基板１９との接続構造を示す模式的断面図である。図５に示すように、フレキシブル配線基板１９を液晶表示パネル１に接続する際、パネル電極端子６とフレキシブル配線基板１９の出力端子１２ａとの間に接着材１５を介在させた状態でフレキシブル配線基板１９に圧力を加えると、接着材１５に含有される導電粒子１４は、フレキシブル配線基板１９の外縁方向および液晶表示パネル１における端子部３の端縁方向に流動することとなる。
【００５０】
そこで、液晶表示パネル１とフレキシブル配線基板１９との接続構造においては、パネル電極端子６上におけるフレキシブル配線基板１９の外縁およびその近傍に対向する位置および端子部３の一端縁、すなわち両流動方向の下流側に、各パネル電極端子６についてそれぞれ対向するように２つの導電粒子用堰１７を形成してもよい。
【図面の簡単な説明】
【００５１】
【図１】本発明に係る表示パネルと外部部品との接続構造の一実施形態を示す模式的平面図
【図２】図１のＡ−Ａにおける模式的断面図
【図３】図１の要部を示す模式的平面図
【図４】本発明に係る表示パネルと外部部品との接続構造の他の実施形態の要部を示す模式的平面図
【図５】本発明に係る表示パネルと外部部品との接続構造の他の実施形態の要部を示す模式的断面
【図６】従来の表示パネルと外部部品との接続構造の一例を示す模式的断面図
【図７】図６の要部を示す模式的平面図
【符号の説明】
【００５２】
１  液晶表示パネル
２ａ  第１透明基板
２ｂ  第２透明基板
３  端子部
５  パネル電極
６ａ  第１パネル電極端子
６ｂ  第２パネル電極端子
１１  液晶駆動用ＩＣチップ
１２ａ  出力端子
１２ｂ  入力端子
１４  導電粒子
１５  接着材
１７  導電粒子用堰
１７ａ  内側端縁
【図１】
2006154253.tif 000003
【図２】
2006154253.tif 000004
【図３】
2006154253.tif 000005
【図４】
2006154253.tif 000006
【図５】
2006154253.tif 000007
【図６】
2006154253.tif 000008
【図７】
2006154253.tif 000009